(57)【要約】本発明は、ハンドオーバー方法を開示し、前記方法は、ホーム基地局ゲートウェイ（ＨｅＮＢ  ＧＷ）がハンドオーバー要求メッセージを受信することと、前記ハンドオーバー要求メッセージに含まれるハンドオーバー識別子を取得することと、前記ハンドオーバー識別子に基づき、前記ハンドオーバー要求メッセージをターゲット基地局に送信することと、を含む。本発明はまた、ホーム基地局ゲートウェイ、ハンドオーバーシステム及びコンピュータ記憶媒体も開示している。【選択図】図１
2017531398.tif 000002
【特許請求の範囲】
【請求項１】
ハンドオーバー方法であって、
ホーム基地局ゲートウェイＨｅＮＢ  ＧＷは、ハンドオーバー要求メッセージを受信することと、
前記ハンドオーバー要求メッセージに含まれるハンドオーバー識別子を取得することと、
前記ハンドオーバー識別子に基づき、前記ハンドオーバー要求メッセージをターゲット基地局に送信することと、
を含む、前記方法。
【請求項２】
前記ハンドオーバー要求メッセージがマクロ基地局ｅＮＢから送信され、
前記ハンドオーバー要求メッセージに含まれるハンドオーバー識別子を取得することは、
前記ハンドオーバー要求メッセージからコンテナＣｏｎｔａｉｎｅｒを抽出することと、
前記Ｃｏｎｔａｉｎｅｒに対してデコーディングを行い、ターゲットセル識別子（ｔａｒｇｅｔ  ｃｅｌｌ  ＩＤ）を得ることと、
を含む、請求項１に記載の方法。
【請求項３】
前記ハンドオーバー識別子に基づき、前記ハンドオーバー要求メッセージをターゲット基地局に送信することは、前記ｔａｒｇｅｔ  ｃｅｌｌ  ＩＤに基づき、前記ハンドオーバー要求メッセージを前記ｔａｒｇｅｔ  ｃｅｌｌ  ＩＤと同じ識別子ＩＤを持つターゲット基地局に送信することを含む、請求項２に記載の方法。
【請求項４】
前記ＨｅＮＢ  ＧＷはハンドオーバー要求メッセージを受信する前に、前記方法はさらに、
ｅＮＢはマクロ基地局識別子ｅＮＢ  ＩＤのフォーマットに従って、ターゲット基地局識別子Ｔａｒｇｅｔ  ＩＤを記入し、Ｔａｒｇｅｔ  ＩＤが含まれるハンドオーバー要求メッセージをモビリティ管理エンティティＭＭＥに送信することと、
前記ＭＭＥは、前記Ｔａｒｇｅｔ  ＩＤと同じバーチャルマクロ基地局識別子Ｖ−ｅＮＢ  ＩＤを持つＨｅＮＢ  ＧＷを見つけ出し、ハンドオーバー要求メッセージを前記ＨｅＮＢ  ＧＷに送信し、前記Ｖ−ｅＮＢ  ＩＤがＨｅＮＢ  ＧＷに構成される識別子であることと、
を含む、請求項２または３に記載の方法。
【請求項５】
前記ハンドオーバー要求メッセージがーム基地局ＨｅＮＢから送信され、
前記ハンドオーバー要求メッセージに含まれるハンドオーバー識別子を取得することは、前記ハンドオーバー要求メッセージに含まれるＴａｒｇｅｔ  ＩＤを取得すること
を含む、請求項１に記載の方法。
【請求項６】
前記ハンドオーバー識別子に基づき、前記ハンドオーバー要求メッセージをターゲット基地局に送信することは、
前記Ｔａｒｇｅｔ  ＩＤをホーム基地局識別子ＨｅＮＢ  ＩＤのフォーマットからｅＮＢ  ＩＤのフォーマットに変換して、変換後のＴａｒｇｅｔ  ＩＤとすることと、
前記ＭＭＥが変換後のＴａｒｇｅｔ  ＩＤからｅＮＢ  ＩＤを取得し、前記ハンドオーバー要求メッセージを前記ｅＮＢ  ＩＤと同じＩＤを持つターゲット基地局に送信するように、変換後のＴａｒｇｅｔ  ＩＤが含まれるハンドオーバー要求メッセージを前記ＭＭＥに送信することと、
を含む、請求項５に記載の方法。
【請求項７】
前記ＨｅＮＢ  ＧＷがハンドオーバー要求メッセージを受信する前に、前記方法はさらに、前記ＨｅＮＢがＨｅＮＢ  ＩＤのフォーマットに従って、前記Ｔａｒｇｅｔ  ＩＤを記入し、前記Ｔａｒｇｅｔ  ＩＤが含まれるハンドオーバー要求メッセージを前記ＨｅＮＢ  ＧＷに送信することを含む、請求項５または６に記載の方法。
【請求項８】
ホーム基地局ゲートウェイＨｅＮＢ  ＧＷであって、
ハンドオーバー要求メッセージを受信するように構成される受信モジュールと、
前記ハンドオーバー要求メッセージに含まれるハンドオーバー識別子を取得するように構成される取得モジュールと、
前記ハンドオーバー識別子に基づき、前記ハンドオーバー要求メッセージをターゲット基地局に送信するように構成される送信モジュールと、
を含む、前記ＨｅＮＢ  ＧＷ。
【請求項９】
前記ハンドオーバー要求メッセージがｅＮＢから送信され、
前記取得モジュールは、
前記ハンドオーバー要求メッセージからＣｏｎｔａｉｎｅｒを抽出し、前記Ｃｏｎｔａｉｎｅｒに対してデコーディングを行い、ｔａｒｇｅｔ  ｃｅｌｌ  ＩＤを得る
ように構成される、請求項８に記載のホーム基地局ゲートウェイ。
【請求項１０】
前記送信モジュールは、前記ｔａｒｇｅｔ  ｃｅｌｌ  ＩＤに基づき、前記ハンドオーバー要求メッセージを前記ｔａｒｇｅｔ  ｃｅｌｌ  ＩＤと同じＩＤを持つターゲット基地局に送信する
ように構成される、請求項９に記載のホーム基地局ゲートウェイ。
【請求項１１】
前記ハンドオーバー要求メッセージがＨｅＮＢから送信され、
前記取得モジュールは、前記ハンドオーバー要求メッセージに含まれるＴａｒｇｅｔ  ＩＤを取得する
ように構成される、請求項８に記載のホーム基地局ゲートウェイ。
【請求項１２】
前記送信モジュールは、
前記Ｔａｒｇｅｔ  ＩＤをＨｅＮＢ  ＩＤのフォーマットからｅＮＢ  ＩＤのフォーマットに変換して、変換後のＴａｒｇｅｔ  ＩＤとし、前記ＭＭＥが変換後のＴａｒｇｅｔ  ＩＤからｅＮＢ  ＩＤを取得して、前記ハンドオーバー要求メッセージを前記ｅＮＢ  ＩＤと同じＩＤを持つターゲット基地局に送信するように、変換後のＴａｒｇｅｔ  ＩＤが含まれるハンドオーバー要求メッセージを前記ＭＭＥに送信する
ように構成される、請求項１１に記載のホーム基地局ゲートウェイ。
【請求項１３】
ハンドオーバーシステムであって、
ｅＮＢ  ＩＤのフォーマットに基づき、Ｔａｒｇｅｔ  ＩＤを記入し、Ｔａｒｇｅｔ  ＩＤが含まれるハンドオーバー要求メッセージをＭＭＥに送信するように構成されるｅＮＢと、
前記Ｔａｒｇｅｔ  ＩＤと同じＶ−ｅＮＢ  ＩＤを持つＨｅＮＢ  ＧＷを見つけ出し、ハンドオーバー要求メッセージをＨｅＮＢ  ＧＷに送信するように構成されるＭＭＥと、
前記ハンドオーバー要求メッセージからＣｏｎｔａｉｎｅｒを抽出し、前記Ｃｏｎｔａｉｎｅｒに対してデコーディングを行い、ｔａｒｇｅｔ  ｃｅｌｌ  ＩＤを得て、前記ｔａｒｇｅｔ  ｃｅｌｌ  ＩＤに基づき、前記ハンドオーバー要求メッセージを前記ｔａｒｇｅｔ  ｃｅｌｌ  ＩＤと同じＩＤを持つＨｅＮＢに送信するように構成されるＨｅＮＢ  ＧＷと、
前記ハンドオーバー要求メッセージを受信するように構成されるＨｅＮＢと、
を含む、前記システム。
【請求項１４】
ハンドオーバーシステムであって、
ＨｅＮＢ  ＩＤのフォーマットに従って、Ｔａｒｇｅｔ  ＩＤを記入し、前記Ｔａｒｇｅｔ  ＩＤが含まれるハンドオーバー要求メッセージをＨｅＮＢ  ＧＷに送信するように構成されるＨｅＮＢと、
前記Ｔａｒｇｅｔ  ＩＤをＨｅＮＢ  ＩＤのフォーマットからｅＮＢ  ＩＤのフォーマットに変換して、変換後のＴａｒｇｅｔ  ＩＤとし、変換後のＴａｒｇｅｔ  ＩＤが含まれるハンドオーバー要求メッセージをＭＭＥに送信するように構成されるＨｅＮＢ  ＧＷと、
変換後のＴａｒｇｅｔ  ＩＤからｅＮＢ  ＩＤを取得し、前記ハンドオーバー要求メッセージを前記ｅＮＢ  ＩＤと同じＩＤを持つｅＮＢに送信するように構成されるＭＭＥと、
前記ハンドオーバー要求メッセージを受信するように構成されるｅＮＢと、
を含む、前記システム。
【請求項１５】
コンピュータ記憶媒体であって、
命令セットを含み、前記命令セットを実行する場合、少なくとも一つのプロセッサに請求項１〜３、５、６のいずれか１項に記載の前記方法を実行させる、前記コンピュータ記憶媒体。
【発明の詳細な説明】
【技術分野】
【０００１】
本発明は第４世代移動通信システムの無線通信ネットワークのハンドオーバー技術に関し、特にロングタームエボリューション（ＬＴＥ：Ｌｏｎｇ  Ｔｅｒｍ  Ｅｖｏｌｕｔｉｏｎ）のマクロ・マイクロ・アドホックネットワークのハンドオーバー方法、システム、ホーム基地局ゲートウェイ及びコンピュータ記憶媒体に関する。
【背景技術】
【０００２】
無線通信領域の第３世代パートナーシップ・プロジェクト（３ＧＰＰ：Ｔｈｅ３ｒｄ  Ｇｅｎｅｒａｔｉｏｎ  Ｐａｒｔｎｅｒｓｈｉｐ  Ｐｒｏｊｅｃｔ）のＬＴＥプロジェクトは、近年の３ＧＰＰで発足している最大の研究プロジェクトであり、ＬＴＥは３Ｇから４Ｇへ進化する技術であり、現在の無線通信領域は、従来のマクロ基地局の計画ネットワークの基礎の上に、分散型ホーム基地局ネットワークに関するニーズも増加する。
【０００３】
ＬＴＥのマクロ・マイクロ・アドホックネットワークにおいて、基地局は隣接セルがマクロ基地局（ｅＮＢ：Ｍａｃｒｏ  ｅＮＢ）か、それともホーム基地局（ＨｅＮＢ：Ｈｏｍｅ  ｅＮＢ）であるかを感知できず、これによって、基地局は隣接セルへのハンドオーバー要求を開始する場合、通常、隣接セルの基地局とハンドオーバー要求メッセージを送信する基地局とのタイプが同じであると見なし、ハンドオーバー要求メッセージを送信する基地局は、自身の識別子（ＩＤ：Ｉｄｅｎｔｉｔｙ）のフォーマットに従って、ハンドオーバー要求メッセージを記入し、そうすれば、隣接セルの基地局とハンドオーバー要求メッセージを送信する基地局とのタイプが同じではない場合、ハンドオーバー要求メッセージの内容が不正確であるため、ハンドオーバーの失敗を招き、ＬＴＥのマクロ・マイクロ・アドホックネットワークのＨｅＮＢへの互換性が悪くなるという問題が出てくる。
【発明の概要】
【０００４】
従来の技術問題を解決するため、本発明の実施例は、ハンドオーバー方法、システム、ホーム基地局ゲートウェイ及びコンピュータ記憶媒体を提供する。
【０００５】
本発明の実施例はハンドオーバー方法を提供し、該方法は、
ホーム基地局ゲートウェイ（ＨｅＮＢ  ＧＷ：Ｈｏｍｅ  ｅＮＢ  Ｇｅｔｗａｙ）はハンドオーバー要求メッセージを受信することと、
前記ハンドオーバー要求メッセージに含まれるハンドオーバー識別子を取得することと、
前記ハンドオーバー識別子に基づき、前記ハンドオーバー要求メッセージをターゲット基地局に送信することと、
を含む。
【０００６】
上記の技術案において、前記ハンドオーバー要求メッセージがｅＮＢから送信され、
前記ハンドオーバー要求メッセージに含まれるハンドオーバー識別子を取得することは、
前記ハンドオーバー要求メッセージからコンテナ（Ｃｏｎｔａｉｎｅｒ）を抽出することと、
前記Ｃｏｎｔａｉｎｅｒに対してデコーディングを行い、ターゲットセル識別子（ｔａｒｇｅｔ  ｃｅｌｌ  ＩＤ）を得ることと、
を含む。
【０００７】
上記の技術案において、前記ハンドオーバー識別子に基づき、前記ハンドオーバー要求メッセージをターゲット基地局に送信することは、前記ｔａｒｇｅｔ  ｃｅｌｌ  ＩＤに基づき、前記ハンドオーバー要求メッセージを前記ｔａｒｇｅｔ  ｃｅｌｌ  ＩＤと同じ識別子ＩＤを持つターゲット基地局に送信することを含む。
【０００８】
上記の技術案において、前記ＨｅＮＢ  ＧＷはハンドオーバー要求メッセージを受信する前に、前記方法はさらに、
ｅＮＢはマクロ基地局識別子ｅＮＢ  ＩＤのフォーマットに従って、ターゲット基地局識別子（Ｔａｒｇｅｔ  ＩＤ）を記入し、Ｔａｒｇｅｔ  ＩＤが含まれるハンドオーバー要求メッセージをモビリティ管理エンティティ（ＭＭＥ：Ｍｏｂｉｌｉｔｙ  Ｍａｎａｇｅｍｅｎｔ  Ｅｎｔｉｔｙ）に送信することと、
前記ＭＭＥは、前記Ｔａｒｇｅｔ  ＩＤと同じバーチャルマクロ基地局識別子（Ｖ−ｅＮＢ  ＩＤ：Ｖｉｒｔｕａｌ  ｅＮＢ  ＩＤ）を持つＨｅＮＢ  ＧＷを見つけ出し、ハンドオーバー要求メッセージを前記ＨｅＮＢ  ＧＷに送信し、前記Ｖ−ｅＮＢ  ＩＤがＨｅＮＢ  ＧＷに構成される識別子であることと、
を含む。
【０００９】
上記の技術案において、前記ハンドオーバー要求メッセージがホーム基地局ＨｅＮＢから送信され、前記ハンドオーバー要求メッセージに含まれるハンドオーバー識別子を取得することは、前記ハンドオーバー要求メッセージに含まれるＴａｒｇｅｔ  ＩＤを取得することを含む。
【００１０】
上記の技術案において、前記ハンドオーバー識別子に基づき、前記ハンドオーバー要求メッセージをターゲット基地局に送信することは、
前記Ｔａｒｇｅｔ  ＩＤをホーム基地局識別子（ＨｅＮＢ  ＩＤ）のフォーマットからｅＮＢ  ＩＤのフォーマットに変換して、変換後のＴａｒｇｅｔ  ＩＤとすることと、
前記ＭＭＥが変換後のＴａｒｇｅｔ  ＩＤからｅＮＢ  ＩＤを取得し、前記ハンドオーバー要求メッセージを前記ｅＮＢ  ＩＤと同じＩＤを持つターゲット基地局に送信するように、変換後のＴａｒｇｅｔ  ＩＤが含まれるハンドオーバー要求メッセージを前記ＭＭＥに送信することと、
を含む。
【００１１】
上記の技術案において、前記ＨｅＮＢ  ＧＷがハンドオーバー要求メッセージを受信する前に、前記方法はさらに、前記ＨｅＮＢがＨｅＮＢ  ＩＤのフォーマットに従って、前記Ｔａｒｇｅｔ  ＩＤを記入し、前記Ｔａｒｇｅｔ  ＩＤが含まれるハンドオーバー要求メッセージを前記ＨｅＮＢ  ＧＷに送信することを含む。
【００１２】
本発明の実施例はＨｅＮＢ  ＧＷを提供し、前記ＨｅＮＢ  ＧＷは、
ハンドオーバー要求メッセージを受信するように構成される受信モジュールと、
前記ハンドオーバー要求メッセージに含まれるハンドオーバー識別子を取得するように構成される取得モジュールと、
前記ハンドオーバー識別子に基づき、前記ハンドオーバー要求メッセージをターゲット基地局に送信するように構成される送信モジュールと、を含む。
【００１３】
上記の技術案において、前記ハンドオーバー要求メッセージがｅＮＢから送信され、
前記取得モジュールは、
前記ハンドオーバー要求メッセージからＣｏｎｔａｉｎｅｒを抽出し、前記Ｃｏｎｔａｉｎｅｒに対してデコーディングを行い、ｔａｒｇｅｔ  ｃｅｌｌ  ＩＤを得るように構成される。
【００１４】
上記の技術案において、前記送信モジュールは、前記ｔａｒｇｅｔ  ｃｅｌｌ  ＩＤに基づき、前記ハンドオーバー要求メッセージを前記ｔａｒｇｅｔ  ｃｅｌｌ  ＩＤと同じＩＤを持つターゲット基地局に送信するように構成される。
【００１５】
上記の技術案において、前記ハンドオーバー要求メッセージがＨｅＮＢから送信され、前記取得モジュールは、前記ハンドオーバー要求メッセージに含まれるＴａｒｇｅｔ  ＩＤを取得するように構成される。
【００１６】
上記の技術案において、前記送信モジュールは、
前記Ｔａｒｇｅｔ  ＩＤをＨｅＮＢ  ＩＤのフォーマットからｅＮＢ  ＩＤのフォーマットに変換して、変換後のＴａｒｇｅｔ  ＩＤとし、
前記ＭＭＥが変換後のＴａｒｇｅｔ  ＩＤからｅＮＢ  ＩＤを取得して、前記ハンドオーバー要求メッセージを前記ｅＮＢ  ＩＤと同じＩＤを持つターゲット基地局に送信するように、変換後のＴａｒｇｅｔ  ＩＤが含まれるハンドオーバー要求メッセージを前記ＭＭＥに送信するように構成される。
【００１７】
本発明の実施例はさらにハンドオーバーシステムを提供し、該システムは、
ｅＮＢ  ＩＤのフォーマットに基づき、Ｔａｒｇｅｔ  ＩＤを記入し、Ｔａｒｇｅｔ  ＩＤが含まれるハンドオーバー要求メッセージをＭＭＥに送信するように構成されるｅＮＢと、
前記Ｔａｒｇｅｔ  ＩＤと同じＶ−ｅＮＢ  ＩＤを持つＨｅＮＢ  ＧＷを見つけ出し、ハンドオーバー要求メッセージをＨｅＮＢ  ＧＷに送信するように構成されるＭＭＥと、
前記ハンドオーバー要求メッセージからＣｏｎｔａｉｎｅｒを抽出し、前記Ｃｏｎｔａｉｎｅｒに対してデコーディングを行い、ｔａｒｇｅｔ  ｃｅｌｌ  ＩＤを得て、前記ｔａｒｇｅｔ  ｃｅｌｌ  ＩＤに基づき、前記ハンドオーバー要求メッセージを前記ｔａｒｇｅｔ  ｃｅｌｌ  ＩＤと同じＩＤを持つＨｅＮＢに送信するように構成されるＨｅＮＢ  ＧＷと、
前記ハンドオーバー要求メッセージを受信するように構成されるＨｅＮＢと、を含む。
【００１８】
本発明の実施例はさらにハンドオーバーシステムを提供し、該システムは、
ＨｅＮＢ  ＩＤのフォーマットに従って、Ｔａｒｇｅｔ  ＩＤを記入し、前記Ｔａｒｇｅｔ  ＩＤが含まれるハンドオーバー要求メッセージをＨｅＮＢ  ＧＷに送信するように構成されるＨｅＮＢと、
前記Ｔａｒｇｅｔ  ＩＤをＨｅＮＢ  ＩＤのフォーマットからｅＮＢ  ＩＤのフォーマットに変換して、変換後のＴａｒｇｅｔ  ＩＤとし、変換後のＴａｒｇｅｔ  ＩＤが含まれるハンドオーバー要求メッセージをＭＭＥに送信するように構成されるＨｅＮＢ  ＧＷと、
変換後のＴａｒｇｅｔ  ＩＤからｅＮＢ  ＩＤを取得し、前記ハンドオーバー要求メッセージを前記ｅＮＢ  ＩＤと同じＩＤを持つｅＮＢに送信するように構成されるＭＭＥと、
前記ハンドオーバー要求メッセージを受信するように構成されるｅＮＢと、を含む。
【００１９】
本発明の実施例はさらにコンピュータ記憶媒体を提供し、前記コンピュータ記憶媒体は、命令セットを含み、前記命令セットを実行する場合、少なくとも一つのプロセッサに上記のハンドオーバー方法を実行させる。
【００２０】
本発明の実施例に提供されているハンドオーバー方法、システム、ＨｅＮＢ  ＧＷ及びコンピュータ記憶媒体において、ＨｅＮＢ  ＧＷは、ハンドオーバー要求メッセージを受信し、前記ハンドオーバー要求メッセージに含まれるハンドオーバー識別子を取得し、前記ハンドオーバー識別子に基づいて前記ハンドオーバー要求メッセージをターゲット基地局に送信する。それによって、ハンドオーバー要求メッセージを送信する基地局は、自身のＩＤのフォーマットに従ってハンドオーバー要求メッセージを記入し、ハンドオーバー要求メッセージをターゲット基地局に送信することが可能であり、さらにＬＴＥのマクロ・マイクロ・アドホックネットワークのハンドオーバー機能を実現し、そのため、本発明の実施例は、ＬＴＥのマクロ・マイクロ・アドホックネットワークのＨｅＮＢへの互換性を向上させる。
【図面の簡単な説明】
【００２１】
【図１】本発明の実施例におけるハンドオーバー方法のフローチャートである。
【図２】本発明の実施例におけるＨｅＮＢ  ＧＷの構成を示す図である。
【図３】本発明の実施例１におけるハンドオーバーシステムの構成を示す図である。
【図４】本発明の実施例２におけるハンドオーバーシステムの構成を示す図である。
【発明を実施するための形態】
【００２２】
図面（比例に基づいて描いているものとは限らない）において、似ている図面記号は異なる図面で似ている部品を描写することできる。異なるアルファベット接尾辞の似ている図面記号は、似ている部品の異なる例を示すことが可能である。図面は、限定する方式ではなく、例を通して本発明で記載されている各実施例を示す。
【００２３】
本発明の目的、技術案及び利点をより明確にするため、下記で図面を参照して本発明を詳しく説明する。
【００２４】
本発明の各実施例において、ＨｅＮＢ  ＧＷはハンドオーバー要求メッセージを受信し、前記ハンドオーバー要求メッセージに含まれるハンドオーバー識別子を取得し、前記ハンドオーバー識別子に基づき、前記ハンドオーバー要求メッセージをターゲット基地局に送信する。
【００２５】
図１は本発明の実施例におけるハンドオーバー方法のフローチャートであり、図１に示すように、本発明の実施例におけるハンドオーバー方法は、下記のステップを含む。
【００２６】
ステップ１０１において、ＨｅＮＢ  ＧＷがハンドオーバー要求メッセージを受信する。
【００２７】
ここで、ＨｅＮＢ  ＧＷが受信されているハンドオーバー要求メッセージは、ｅＮＢから送信されていても良く、ＨｅＮＢから送信されていても良い。
【００２８】
ステップ１０２〜１０３において、前記ハンドオーバー要求メッセージに含まれるハンドオーバー識別子を取得し、前記ハンドオーバー識別子に基づき、前記ハンドオーバー要求メッセージをターゲット基地局に送信する。
【００２９】
ここで、前記ハンドオーバー要求メッセージがｅＮＢから送信されている場合、前記ハンドオーバー要求メッセージに含まれるハンドオーバー識別子を取得することは、前記ハンドオーバー要求メッセージからＣｏｎｔａｉｎｅｒを抽出し、前記Ｃｏｎｔａｉｎｅｒに対してデコーディングを行い、ｔａｒｇｅｔ  ｃｅｌｌ  ＩＤを得ることを含み、それに応じて、前記ハンドオーバー識別子に基づき、前記ハンドオーバー要求メッセージをターゲット基地局に送信することは、前記ｔａｒｇｅｔ  ｃｅｌｌ  ＩＤに基づき、前記ハンドオーバー要求メッセージを前記ｔａｒｇｅｔ  ｃｅｌｌ  ＩＤと同じＩＤを持つターゲット基地局に送信することを含む。
【００３０】
なお、前記ＨｅＮＢ  ＧＷがハンドオーバー要求メッセージを受信するステップの前に、該方法はさらに、ＨｅＮＢ  ＧＷに少なくとも一つのＶ−ｅＮＢ  ＩＤを構成することを含み、具体的に、Ｖ−ｅＮＢ  ＩＤのフォーマットが２０ｂｉｔであっても良く、ＨｅＮＢが使用するホーム基地局識別子（ＨｅＮＢ  ＩＤ）は下記の条件を満たす必要がある。ＨｅＮＢ  ＩＤの上２０ｂｉｔがＨｅＮＢ  ＧＷに使用されているいずれか１つのＶ−ｅＮＢ  ＩＤと一致することであり、ＨｅＮＢ  ＩＤが２８ｂｉｔであり、Ｖ−ｅＮＢ  ＩＤと８ｂｉｔの差分があり、ＨｅＮＢ  ＧＷに１つのＶ−ｅＮＢ  ＩＤを構成する場合、ＨｅＮＢ  ＧＷが２８個のＨｅＮＢを管理することが可能であり、実際応用において、マクロ・マイクロ・アドホックネットワークに千個以上のＨｅＮＢがあり、そのため、千個以上のＨｅＮＢを管理するように、ＨｅＮＢ  ＧＷに対して拡張する必要があり、言い換えれば、ＨｅＮＢ  ＧＷに複数のＶ−ｅＮＢ  ＩＤを構成し、同時にＶ−ｅＮＢ  ＩＤがｅＮＢの隣接セル情報に記録される。
【００３１】
ハンドオーバーが必要となった場合、ｅＮＢがマクロ基地局識別子ｅＮＢ  ＩＤのフォーマットに基づき、Ｔａｒｇｅｔ  ＩＤを記入し、Ｔａｒｇｅｔ  ＩＤが含まれるハンドオーバー要求メッセージをＭＭＥに送信し、前記ＭＭＥが前記Ｔａｒｇｅｔ  ＩＤと同じＶ−ｅＮＢ  ＩＤを持つＨｅＮＢ  ＧＷを見つけ出し、ハンドオーバー要求メッセージを前記ＨｅＮＢ  ＧＷに送信する。
【００３２】
実際応用において、コアネットワークはＭＭＥとＨｅＮＢ  ＧＷを含み、アクセスネットワークはｅＮＢとＨｅＮＢを含み、コアネットワークとアクセスネットワークとの間はＳ１インターフェースを介して互いに接続されて通信され、ＭＭＥ、ＨｅＮＢ  ＧＷ、ｅＮＢ及びＨｅＮＢという各ネットワーク要素において起動し正常に動作してから、それらの間はＳ１コネクションを確立する。まず、ＨｅＮＢ  ＧＷに少なくとも一つのＶ−ｅＮＢ  ＩＤを構成し、Ｖ−ｅＮＢ  ＩＤがｅＮＢ  ＩＤのフォーマットに基づいて構成され、ＨｅＮＢ  ＧＷとＭＭＥがＳ１コネクションを確立する際に、ＨｅＮＢ  ＧＷがＭＭＥにＳ１コネクションの確立要求を送信する必要があり、コネクション確立要求メッセージにはＨｅＮＢ  ＧＷのＩＤ、即ちＶ−ｅＮＢ  ＩＤが含まれる。次に、ＨｅＮＢとＨｅＮＢ  ＧＷがＳ１コネクションを確立する際に、コネクション確立要求メッセージにはＨｅＮＢのＩＤが含まれ、ＨｅＮＢのＩＤはＨｅＮＢ  ＩＤのフォーマットである。ここで、ＨｅＮＢが使用されるＨｅＮＢ  ＩＤは、ＨｅＮＢ  ＩＤの上２０ｂｉｔがＨｅＮＢ  ＧＷに使用されているいずれか１つのＶ−ｅＮＢ  ＩＤと一致するという条件を満たす必要がある。最後に、各ネットワーク要素の間でＳ１コネクションを確立してから、Ｓ１リンク上でシグナリング例えばハンドオーバー要求メッセージ等を送信することが可能になる。
【００３３】
ここで、ＬＴＥプロトコルにおいて、ｅＮＢ  ＩＤのフォーマットが２０ｂｉｔであり、ＨｅＮＢ  ＩＤのフォーマットが２８ｂｉｔである。
【００３４】
具体的に、ｅＮＢからＨｅＮＢにハンドオーバーを開始する場合、まず、ｅＮＢがｅＮＢ  ＩＤのフォーマット、即ち２０ｂｉｔに基づき、Ｔａｒｇｅｔ  ＩＤを記入し、Ｔａｒｇｅｔ  ＩＤが含まれるハンドオーバー要求メッセージをＭＭＥに送信する。該ハンドオーバー要求メッセージはさらにその他の情報も含み、具体的にＬＴＥプロトコルの規定に従って記入する。例えば「ソースからターゲットへのトランスペアレントコンテーナ（Ｓｏｕｒｃｅ  ｔｏ  Ｔａｒｇｅｔ  Ｔｒａｎｓｐａｒｅｎｔ  Ｃｏｎｔａｉｎｅｒ）」を含む。しかし、ＭＭＥがＣｏｎｔａｉｎｅｒに対してデコーディングを行わない。また、ＭＭＥがハンドオーバー要求内のＴａｒｇｅｔ  ＩＤを取得してから、Ｔａｒｇｅｔ  ＩＤに基づいてＨｅＮＢ  ＧＷを探し、Ｖ−ｅＮＢ  ＩＤとＴａｒｇｅｔ  ＩＤと同じであるＨｅＮＢ  ＧＷを見つけ出してから、ハンドオーバー要求メッセージをＨｅＮＢ  ＧＷに送信する。この時、ＨｅＮＢ  ＧＷがハンドオーバー要求メッセージ内のＣｏｎｔａｉｎｅｒに対してデコーディングを行う必要があり、ＬＴＥプロトコルにおいてＣｏｎｔａｉｎｅｒが定義され、具体的に、「Ｔｈｅ  Ｓｏｕｒｃｅ  ｅＮＢ  ｔｏ  ｔａｒｇｅｔ  ｅＮＢ  Ｔｒａｎｓｐａｒｅｎｔ  Ｃｏｎｔａｉｎｅｒ  ｉｓ  ａｎ  ｉｎｆｏｒｍａｔｉｏｎ  ｅｌｅｍｅｎｔ  ｔｈａｔ  ｉｓ  ｐｒｏｄｕｃｅｄ  ｂｙ  ｔｈｅ  ｓｏｕｒｃｅ  ｅＮＢ  ａｎｄ  ｉｓ  ｔｒａｎｓｍｉｔｔｅｄ  ｔｏ  ｔｈｅ  ｔａｒｇｅｔ  ｅＮＢ．Ｆｏｒ  ｉｎｔｅｒ−ｓｙｓｔｅｍ  ｈａｎｄｏｖｅｒｓ  ｔｏ  Ｅ−ＵＴＲＡＮ、ｔｈｅ  Ｃｏｎｔａｉｎｅｒ  ｉｓ  ｔｒａｎｓｍｉｔｔｅｄ  ｆｏｒｍ  ｔｈｅ  ｅｘｔｅｒｎａｌ  ｈａｎｄｏｖｅｒ  ｓｏｕｒｃｅ  ｔｏ  ｔｈｅ  ｔａｒｇｅｔ  ｅＮＢ」（ソース基地局からターゲット基地局への伝送コンテナは、ソース側の基地局により作成され、ターゲット側の基地局へ伝送される情報要素であり、システム間でハンドオーバーされるＬＴＥアクセスネットワークグローバルセルについて、コンテナは外部ハンドオーバーソースからターゲット基地局に伝送される）であり、即ち、ＬＴＥシステムのハンドオーバーについては、ｔａｒｇｅｔ  ｃｅｌｌ  ＩＤは、Ｅ−ＵＴＲＡＮセル識別子（Ｅ−ＵＴＲＡＮ  ＣＧＩ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ  Ｃｅｌｌ  Ｇｌｏｂａｌ  Ｉｄｅｎｔｉｆｉｅｒ）であり、言い換えれば、ＨｅＮＢ  ＧＷがＣｏｎｔａｉｎｅｒに対してデコーディングを行って得られたｔａｒｇｅｔ  ｃｅｌｌ  ＩＤである。なお、ＬＴＥプロトコルには、ＨｅＮＢが１つのセルしかありえないことが定められ、そのため、ｔａｒｇｅｔ  ｃｅｌｌ  ＩＤがＨｅＮＢのＨｅＮＢ  ＩＤに相当する。最後に、ハンドオーバー要求メッセージをＨｅＮＢ  ＩＤと同じＩＤを持つＨｅＮＢに送信する。
【００３５】
ここで、前記ハンドオーバー要求メッセージがＨｅＮＢから送信される場合、前記ハンドオーバー要求メッセージに含まれるハンドオーバー識別子を取得することは、前記ハンドオーバー要求メッセージに含まれるＴａｒｇｅｔ  ＩＤを取得することと、それに応じて、前記ハンドオーバー識別子に基づき、前記ハンドオーバー要求メッセージをターゲット基地局に送信することは、前記Ｔａｒｇｅｔ  ＩＤをＨｅＮＢ  ＩＤのフォーマットからｅＮＢ  ＩＤのフォーマットに変換して、変換後のＴａｒｇｅｔ  ＩＤとすることと、前記ＭＭＥが変換後のＴａｒｇｅｔ  ＩＤからｅＮＢ  ＩＤを取得して、前記ハンドオーバー要求メッセージを前記ｅＮＢ  ＩＤと同じＩＤを持つターゲット基地局に送信するように、変換後のＴａｒｇｅｔ  ＩＤが含まれるハンドオーバー要求メッセージを前記ＭＭＥに送信することと、を含む。
【００３６】
なお、前記ＨｅＮＢ  ＧＷがハンドオーバー要求メッセージを受信するステップの前に、該方法はさらに、前記ＨｅＮＢがＨｅＮＢ  ＩＤのフォーマットに基づき、前記Ｔａｒｇｅｔ  ＩＤを記入し、前記Ｔａｒｇｅｔ  ＩＤが含まれるハンドオーバー要求メッセージを前記ＨｅＮＢ  ＧＷに送信することを含む。
【００３７】
具体的に、ＭＭＥ、ＨｅＮＢ  ＧＷ、ｅＮＢ及びＨｅＮＢという各ネットワーク要素がＳ１コネクションを確立してから、ＨｅＮＢがｅＮＢにハンドオーバーを開始するときに、まず、ＨｅＮＢがＨｅＮＢ  ＩＤのフォーマット、即ち２８ｂｉｔに基づき、Ｔａｒｇｅｔ  ＩＤを記入し、ＬＴＥプロトコルにｔａｒｇｅｔ  ｃｅｌｌ  ＩＤが２８ｂｉｔであることが定められ、ここのＴａｒｇｅｔ  ＩＤがｔａｒｇｅｔ  ｃｅｌｌ  ＩＤに相当し、Ｔａｒｇｅｔ  ＩＤが含まれるハンドオーバー要求メッセージをＨｅＮＢ  ＧＷに送信する。次に、ＨｅＮＢ  ＧＷがＴａｒｇｅｔ  ＩＤをＨｅＮＢ  ＩＤのフォーマットからｅＮＢ  ＩＤのフォーマットに変換して、変換後のＴａｒｇｅｔ  ＩＤとし、なお、ＨｅＮＢ  ＩＤのフォーマットからｅＮＢ  ＩＤのフォーマットに変換することは、上記のＶ−ｅＮＢ  ＩＤの定義によって、Ｖ−ｅＮＢ  ＩＤが２０ｂｉｔであり、ＨｅＮＢ  ＩＤのフォーマットのＴａｒｇｅｔ  ＩＤの上２０ｂｉｔを抽出して変換後のＴａｒｇｅｔ  ＩＤとすることである。この時、変換後のＴａｒｇｅｔ  ＩＤが２０ｂｉｔであり、ＨｅＮＢ  ＧＷが変換後のＴａｒｇｅｔ  ＩＤが含まれるハンドオーバー要求メッセージをＭＭＥに送信する。最後に、ＭＭＥが変換後のＴａｒｇｅｔ  ＩＤからｅＮＢ  ＩＤを取得する。なお、ｅＮＢ  ＩＤが２０ｂｉｔであるため、Ｔａｒｇｅｔ  ＩＤがｅＮＢ  ＩＤと等しいであり、ハンドオーバー要求メッセージをｅＮＢ  ＩＤと同じＩＤを持つｅＮＢに送信する。
【００３８】
上記内容のように、本発明の実施例のハンドオーバー方法は、ＬＴＥマクロ・マイクロ・アドホックネットワークのハンドオーバー方法である。
【００３９】
本発明の実施例において、ＨｅＮＢ  ＧＷは、まず、ハンドオーバー要求メッセージを受信してから、前記ハンドオーバー要求メッセージに含まれるハンドオーバー識別子を取得し、最後に前記ハンドオーバー識別子に基づき、前記ハンドオーバー要求メッセージをターゲット基地局に送信することで、ハンドオーバー要求メッセージを送信する基地局は、自身ＩＤのフォーマットに従ってハンドオーバー要求メッセージを記入し、ハンドオーバー要求メッセージをターゲット基地局に送信することができ、さらにＬＴＥのマクロ・マイクロ・アドホックネットワークのハンドオーバー機能を実現し、そのため、本発明の実施例はＬＴＥのマクロ・マイクロ・アドホックネットワークのＨｅＮＢへの互換性を向上させる。
【００４０】
図２は、本発明の実施例におけるＬＴＥのマクロ・マイクロ・アドホックネットワークのＨｅＮＢ  ＧＷの構成を示す図であり、図２に示すように、本発明の実施例におけるＬＴＥのマクロ・マイクロ・アドホックネットワークのＨｅＮＢ  ＧＷの構成は、受信モジュール２０１、取得モジュール２０２及び送信モジュール２０３を含む。ここで、
前記受信モジュール２０１は、ハンドオーバー要求メッセージを受信するように構成される。
【００４１】
前記取得モジュール２０２は、前記ハンドオーバー要求メッセージに含まれるハンドオーバー識別子を取得するように構成される。
【００４２】
前記送信モジュール２０３は、前記ハンドオーバー識別子に基づき、前記ハンドオーバー要求メッセージをターゲット基地局に送信するように構成される。
【００４３】
１つの実施例において、前記ハンドオーバー要求メッセージがｅＮＢから送信され、前記取得モジュール２０２は具体的に、
前記ハンドオーバー要求メッセージからＣｏｎｔａｉｎｅｒを抽出し、前記Ｃｏｎｔａｉｎｅｒに対してデコーディングを行い、ｔａｒｇｅｔ  ｃｅｌｌ  ＩＤを得るように構成される。
【００４４】
それに応じて、前記送信モジュール２０３は具体的に、前記ｔａｒｇｅｔ  ｃｅｌｌ  ＩＤに基づき、前記ハンドオーバー要求メッセージを前記ｔａｒｇｅｔ  ｃｅｌｌ  ＩＤと同じＩＤを持つターゲット基地局に送信するように構成される。
【００４５】
１つの実施例において、前記ハンドオーバー要求メッセージがＨｅＮＢから送信され、前記取得モジュール２０２は具体的に、前記ハンドオーバー要求メッセージに含まれるＴａｒｇｅｔ  ＩＤを取得するように構成される。
【００４６】
それに応じて、前記送信モジュール２０３は具体的に、
前記Ｔａｒｇｅｔ  ＩＤをＨｅＮＢ  ＩＤのフォーマットからｅＮＢ  ＩＤのフォーマットに変換して、変換後のＴａｒｇｅｔ  ＩＤとし、
前記ＭＭＥが変換後のＴａｒｇｅｔ  ＩＤからｅＮＢ  ＩＤを取得して、前記ハンドオーバー要求メッセージを前記ｅＮＢ  ＩＤと同じＩＤを持つターゲット基地局に送信するように、変換後のＴａｒｇｅｔ  ＩＤが含まれるハンドオーバー要求メッセージを前記ＭＭＥに送信するように構成される。
【００４７】
実際応用において、前記受信モジュール２０１、取得モジュール２０２及び送信モジュール２０３の機能がＨｅＮＢ  ＧＷ内の中央処理装置（ＣＰＵ）、マイクロプロセッサ（ＭＰＵ）、デジタルシグナルプロセッサ（ＤＳＰ）、またはプログラム可能なゲートアレイ（ＦＰＧＡ）で実現できる。
【００４８】
図３は、本発明の実施例１におけるハンドオーバーシステムの構成を示す図であり、図３に示すように、本発明の実施例１のハンドオーバーシステムの構成は、ｅＮＢ、ＭＭＥ、ＨｅＮＢ  ＧＷ及びＨｅＮＢを含む。ここで、
前記ｅＮＢは、ｅＮＢ  ＩＤのフォーマットに基づき、Ｔａｒｇｅｔ  ＩＤを記入し、Ｔａｒｇｅｔ  ＩＤが含まれるハンドオーバー要求メッセージを前記ＭＭＥに送信するように構成される。
【００４９】
前記ＭＭＥは、前記Ｔａｒｇｅｔ  ＩＤと同じＶ−ｅＮＢ  ＩＤを持つＨｅＮＢ  ＧＷを見つけ出し、ハンドオーバー要求メッセージを前記ＨｅＮＢ  ＧＷに送信するように構成される。
【００５０】
前記ＨｅＮＢ  ＧＷは、前記ハンドオーバー要求メッセージからＣｏｎｔａｉｎｅｒを抽出し、前記Ｃｏｎｔａｉｎｅｒに対してデコーディングを行い、ｔａｒｇｅｔ  ｃｅｌｌ  ＩＤを得て、前記ｔａｒｇｅｔ  ｃｅｌｌ  ＩＤに基づき、前記ハンドオーバー要求メッセージを前記ｔａｒｇｅｔ  ｃｅｌｌ  ＩＤと同じＩＤを持つＨｅＮＢに送信するように構成される。
【００５１】
前記ＨｅＮＢは、前記ハンドオーバー要求メッセージを受信するように構成される。
【００５２】
ここで、図３に示すハンドオーバーシステムは、ＬＴＥのマクロ・マイクロ・アドホックネットワークのハンドオーバーシステムであり、ｅＮＢからＨｅＮＢにハンドオーバー要求を開始することを実現している。
【００５３】
図４は、本発明の実施例２におけるハンドオーバーシステムの構成を示す図であり、図４に示すように、本発明の実施例２におけるハンドオーバーシステムの構成は、ＨｅＮＢ、ＨｅＮＢ  ＧＷ、ＭＭＥ及びｅＮＢを含む。
【００５４】
前記ＨｅＮＢは、ＨｅＮＢ  ＩＤのフォーマットに基づき、前記Ｔａｒｇｅｔ  ＩＤを記入し、前記Ｔａｒｇｅｔ  ＩＤが含まれるハンドオーバー要求メッセージを前記ＨｅＮＢ  ＧＷに送信するように構成される。
【００５５】
前記ＨｅＮＢ  ＧＷは、前記Ｔａｒｇｅｔ  ＩＤをＨｅＮＢ  ＩＤのフォーマットからｅＮＢ  ＩＤのフォーマットに変換して、変換後のＴａｒｇｅｔ  ＩＤとし、変換後のＴａｒｇｅｔ  ＩＤが含まれるハンドオーバー要求メッセージを前記ＭＭＥに送信するように構成される。
【００５６】
前記ＭＭＥは、変換後のＴａｒｇｅｔ  ＩＤからｅＮＢ  ＩＤを取得し、前記ハンドオーバー要求メッセージを前記ｅＮＢ  ＩＤと同じＩＤを持つｅＮＢに送信するように構成される。
【００５７】
前記ｅＮＢは、前記ハンドオーバー要求メッセージを受信するように構成される。
【００５８】
ここで、図４に示すハンドオーバーシステムは、ＬＴＥのマクロ・マイクロ・アドホックネットワークのハンドオーバーシステムであり、ＨｅＮＢからｅＮＢにハンドオーバー要求を開始することを実現している。
【００５９】
当業者にとって、本発明の実施例が方法、システム、またはコンピュータ製品として提供することが可能であることは明らかである。従って、本発明は、ハードウエア実施例、ソフトウエア実施例、またはソフトウエアとハードウエアとを組み合わせる実施例の形式を採用して可能である。また、本発明は、コンピュータでの使用可能なプログラムコードを含むコンピュータでの使用可能な、一つまたは複数の記憶媒体（磁気ディスク装置と光記憶装置などを含むが、それに限らない。）上で、実施したコンピュータプログラム製品の形式を採用しても良い。
【００６０】
本発明は、本発明の実施例による方法、装置（システム）及びコンピュータプログラム製品のフローチャート及び／或いはブロック図を参照して記載されている。コンピュータプログラム命令によって、フローチャート及び／或いはブロック図の各々のフロー及び／或いはブロック、また、フローチャート及び／或いはブロック図中のフロー及び／或いはブロックとの結びつきを実現することを理解すべきである。これらのコンピュータプログラム命令を汎用コンピュータ、専用コンピュータ、埋め込みプロセッサ、またはその他のプログラム可能なデータ処理装置のプロセッサに提供して機器を作成し、コンピュータまたはその他のプログラム可能なデータ処理装置のプロセッサにより実行される命令を通して、フローチャートの一つまたは複数のフロー、及び／またはブロック図の一つのブロックまたは複数のブロックの中で指定された機能を実現するための装置を生成させることが可能である。
【００６１】
これらのコンピュータプログラム命令は、コンピュータまたはその他のプログラム可能なデータ処理装置に、特定の方式で動作させるコンピュータの読み取り可能な記憶装置に記憶してもよく、当該コンピュータの読み取り可能な記憶装置に記憶されている命令で命令装置を含む製品を生成させ、当該命令装置は、フローチャートの一つまたは複数のフロー、及び／またはブロック図の一つのブロックまたは複数のブロックで指定された機能を実現する。
【００６２】
これらのコンピュータプログラム命令は、コンピュータまたはその他のプログラム可能なデータ処理装置にインストールされてもよく、コンピュータで実現する処理を生成するように、コンピュータまたはその他のプログラム可能なデータ処理装置に、一連の操作ステップを実行させ、それによって、コンピュータまたはその他のプログラム可能なデータ処理装置で実行される命令は、フローチャートの一つまたは複数のフロー、及び／またはブロック図の一つのブロックまたは複数のブロックで指定された機能を実現するためのステップを提供する。
【００６３】
上記に基づいて、本発明の実施例はコンピュータ記憶媒体を提供し、前記コンピュータ記憶媒体は、命令セットを含み、前記命令を実行する時に、少なくとも一つのプロセッサに、上記ハンドオーバー方法を実行させる。
【００６４】
以上は本発明の好ましい実施例であるが、本発明の範囲を限定しない。
【図１】
2017531398.tif 000003
【図２】
2017531398.tif 000004
【図３】
2017531398.tif 000005
【図４】
2017531398.tif 000006
【国際調査報告】
2017531398.tif 000007
2017531398.tif 000008
2017531398.tif 000009
2017531398.tif 000010